(57)【要約】【課題】  カム部材が傾くことを阻止して円滑な動作を確保することのできるヒンジ装置を提供すること。【解決手段】  凹凸カム部材１，２を備え一方のカム部材が筒体５内に配置される折り畳み式開閉機器に用いられるヒンジ装置Ｈであって、筒体５内に配置される前記一方のカム部材は、軸部材４を挿通するための孔部を備えるとともに、この孔部には別製の筒部材３の一方の端部を嵌入して、当該カム部材と当該筒部材で摺動カム部材２０を形成し、摺動カム部材２０は、筒部材３が軸部材４を抱持するように当該軸部材に摺接するヒンジ装置である。【選択図】  図４
2010151182.tif 000002
【特許請求の範囲】
【請求項１】
折り畳み式開閉機器に用いられるヒンジ装置であって、一対の凹凸カム部材を軸部材に装着し、前記凹凸カム部材の一方のカム部材は、筒体内に配置されるとともに該筒体に対して回動不能で且つ軸方向に移動可能に設けられ、この一方のカム部材を他方のカム部材の方向に弾性付勢する弾性手段を装着し、前記凹凸カム部材の一方及び他方が前記開閉機器の一方又は他方に駆動連係する形式のヒンジ装置において、
前記筒体内に配置される前記一方のカム部材は、前記軸部材を挿通するための孔部を備えるとともに、この孔部には別製の筒部材の一方の端部を嵌入して、当該カム部材と当該筒部材で摺動カム部材を形成し、
前記摺動カム部材は、前記筒部材が前記軸部材を抱持するように当該軸部材に摺接することを特徴とするヒンジ装置。
【請求項２】
前記筒部材の前記端部には、その端縁から切り込まれる一つ又は複数の切り込み部が設けられていることを特徴とする請求項１記載のヒンジ装置。
【請求項３】
前記筒部材には、一端縁から他端縁に至る一つのスリットが設けられていることを特徴とする請求項１記載のヒンジ装置。
【請求項４】
前記筒部材の他方の端部には、板ばね状の一対の突片が設けられており、前記一対の突片で前記軸部材を挟持することを特徴とする請求項１記載のヒンジ装置。
【請求項５】
前記一対の突片は長寸の板状片であり、この一対の板状片に対応して、前記軸部材には長手方向の平面部が形成されていることを特徴とする請求項４記載のヒンジ装置。
【請求項６】
前記筒体は、その外周部に平坦部を形成して、この平坦部により前記開閉機器の一方又は他方に駆動連係するものであり、
前記軸部材は、円形シャフト部を備え、
前記摺動カム部材は、その筒部材が円筒状を呈して前記軸部材の円形シャフト部に回動可能で且つ軸方向に摺動可能に摺接するとともに、嵌入された前記筒部材の前記端部が前記一方のカム部材から前記他方のカム部材の側へ延設され、
前記他方のカム部材は、その外周部に平坦部を形成して、この平坦部により前記開閉機器の他方又は一方に駆動連係するとともに、前記軸部材を挿通するための内周面が円周状の孔部を備え、
更に、前記他方のカム部材の前記孔部に、前記筒部材の延設された前記端部を挿入するための拡径円周状の段部を設け、前記筒部材の延設された前記端部を、前記他方のカム部材の前記段部に摺動可能に挿入したことを特徴とする請求項１記載のヒンジ装置。
【請求項７】
前記筒体は、その外周部に平坦部を形成して、この平坦部により前記開閉機器の一方又は他方に駆動連係するものであり、
前記他方のカム部材は、その外周部に平坦部を形成して、この平坦部により前記開閉機器の他方又は一方に駆動連係するものであり、
更に、前記他方のカム部材の背面側には、当該カム部材の外周部と同一形状の外周部を備えた補助部材を、当該カム部材と同行回動するように装着したことを特徴とする請求項１記載のヒンジ装置。
【請求項８】
前記軸部材は、その基端部に非円形部を備え、この非円形部に前記他方のカム部材と前記補助部材を回動不能に装着したことを特徴とする請求項７記載のヒンジ装置。
【発明の詳細な説明】
【技術分野】
【０００１】
本発明は、パソコン等の折り畳み式開閉機器に用いられるヒンジ装置に関する。
【背景技術】
【０００２】
パソコン等の折り畳み式開閉機器において、閉じているディスプレー表示部が勝手に開かないように、ヒンジ装置に、開閉機器の閉塞状態を維持する重合保持機能を設けている。とりわけ、この種のヒンジ装置において、凹凸カム部材を用いて凹凸係合（クリック係合機構）により保持するものが知られている。
【０００３】
凹凸カム部材を用いるヒンジ装置としては、例えば、一対の凹凸カム部材を軸部材に装着し、凹凸カム部材の一方のカム部材は、筒体内に配置されるとともに該筒体に対して回動不能で且つ軸方向に移動可能に設けられ、この一方のカム部材を、他方のカム部材の方向に弾性付勢する弾性手段を装着し、更に、凹凸カム部材の一方及び他方が、前記開閉機器の一方又は他方に駆動連係しているもの等が多用されている。
【０００４】
また、凹凸カム部材の前記開閉機器への駆動連係は、例えば以下のものが知られている。１つは、凹凸カム部材のそれぞれの外周面形状を非円形とし、他方、開閉機器のそれぞれにヒンジ筒なるカム装着部を形成して、凹凸カム部材をヒンジ筒に装着し両者を回動不能として行うもの、２つには、凹凸カム部材のそれぞれの外周面形状を円形にするとともにその外周面の軸心方向に凹溝又は凸条を形成し、他方、開閉機器のヒンジ筒も内周面形状を円形にするとともにその内周面の軸心方向に凸条又は凹溝を設けて、カム部材をヒンジ筒に噛み合い状に装着し両者を回動不能とするもの、３つには、凹凸カム部材に別途ブラケット等の別部材（連結部材）をあてがって、この連結部材を介して駆動連係するものが存在するものである。尚、その他にも、凹凸カム部材を挿通する軸部材に、円形状外周部と非円形外周部を設けて、凹凸カム部材の通孔をこれらに対応する形状とし、一方のカム部材を軸部材に同行回動させるとともに、他方のカム部材を軸部材に回動自在に設け、軸部材に対する凹凸カム部材の回動及び非回動による駆動経路を異ならしめて、凹凸カム部材から前記開閉機器へ駆動連係するもの等が知られている。
【０００５】
この種の凹凸カム部材を用いるヒンジ装置においては、カム部材同士の圧接回動のバランス上、カム部材に設けられる凹部及び凸部は、軸を中心として対称に二つ形成されるのが一般的である。これらの凹凸部には、相互の係脱がスムーズに行えるように、通常、各摺接部位にテーパ状部を設ける等の工夫を凝らしている。
【０００６】
このような凹凸カム部材を備えたヒンジ装置は、凹凸部の係脱は１８０°の範囲内で行われることになり、従って、１８０°を越える係脱を実現するには、通常は所謂異径カムと称される、カム部材のカム面の径方向に軸からの距離が異なる凹凸部を形成して、二段の凹凸カム部材で行っていた（例えば、特開２００４−３３２８７４号公報）。
【０００７】
即ち、凹凸カム部材は、一方のカム部材に軸を中心として非対称に一対の凹部又は一対の凸部（或いは凹部と凸部）を形成するとともに、他方のカム部材には、これらの凹凸部に対応し且つ位相の異なる箇所に、他の一対の凸部又は一対の凹部（或いは凸部と凹部）を形成する。内外周側の各凹凸部は、それぞれ３６０°で係脱を行うことになり、これら内外の係脱箇所の位相を適宜選定することにより、１８０°を越える所望位置において、係脱動作を実現することができるものである。
【特許文献１】特開２００８−２７５０８１号公報
【特許文献２】特開２００８−１７５３９６号公報
【特許文献３】特開２００８−１４４７９１号公報
【特許文献４】特開２００７−２４７９０９号公報
【特許文献５】特開２００４−３３２８７４号公報
【発明の開示】
【発明が解決しようとする課題】
【０００８】
凹凸カム部材を用いるヒンジ装置で１８０°を越える係脱を実現する場合、前述した異径カムを用いずに、一段（凹凸部がそれぞれ一つ）の凹凸カム部材で行おうとすると、凹凸部を、軸を中心として対称に二つ形成するのではなく一つとすることで、１８０°以上の回動が可能となる。ところが、凹凸部を各一つ設けると、凹凸部が軸を中心として対称に二つ形成されていないため、押接箇所が軸心位置から離れた片側となって、押圧バランスが崩れてしまい、その結果、一方又は双方のカム部材が傾いて、ヒンジ装置の円滑な動作を阻害し、延いてはヒンジ装置に不具合をもたらすことになる。
【０００９】
上述したヒンジ装置のほかにも、凹凸カムの設置される位置や、用いられるコイルスプリング等の弾性手段の端面の傾きや、弾性手段の非対称的な弾性付勢等に起因して、一方又は双方のカム部材が傾く場合もある。
【００１０】
本発明は、上記事情に鑑みてなされたもので、カム部材が傾くことを阻止し得て、ヒンジ装置の円滑な動作を確保し、もってヒンジ動作に不具合をもたらすことのないヒンジ装置を提案するものである。
【課題を解決するための手段】
【００１１】
本願第１請求項に記載したヒンジ装置は、後記具体例で用いた符号を付して記すと、折り畳み式開閉機器Ａに用いられるヒンジ装置Ｈであって、一対の凹凸カム部材１，２を軸部材４に装着し、前記凹凸カム部材の一方のカム部材２は、筒体５内に配置されるとともに該筒体に対して回動不能で且つ軸方向に移動可能に設けられ、この一方のカム部材２を他方のカム部材１の方向に弾性付勢する弾性手段Ｓを装着し、前記凹凸カム部材１，２の一方及び他方が前記開閉機器Ａの一方Ｂ又は他方Ｃに駆動連係する形式のヒンジ装置において、
前記筒体５内に配置される前記一方のカム部材２は、前記軸部材４を挿通するための孔部２２を備えるとともに、この孔部２２には別製の筒部材３の一方の端部を嵌入して、当該カム部材と当該筒部材で摺動カム部材２０を形成し、
前記摺動カム部材２０は、前記筒部材３が前記軸部材４を抱持するように当該軸部材に摺接するヒンジ装置である。
【００１２】
また、本願第２請求項に記載したヒンジ装置は、請求項１の発明において、前記筒部材３の前記端部３ａには、その端縁から切り込まれる一つ又は複数の切り込み部３１が設けられているヒンジ装置である。
【００１３】
また、本願第３請求項に記載したヒンジ装置は、請求項１の発明において、前記筒部材３には、一端縁から他端縁に至る一つのスリット３２が設けられているヒンジ装置である。
【００１４】
また、本願第４請求項に記載したヒンジ装置は、請求項１の発明において、前記筒部材３の他方の端部には、板ばね状の一対の突片３３，３３が設けられており、前記一対の突片３３，３３で前記軸部材４を挟持するヒンジ装置である。
【００１５】
また、本願第５請求項に記載したヒンジ装置は、請求項４の発明において、前記一対の突片３３，３３は長寸の板状片であり、この一対の板状片に対応して、前記軸部材４には長手方向の平面部４３が形成されているヒンジ装置である。
【００１６】
また、本願第６請求項に記載したヒンジ装置は、請求項１の発明において、前記筒体５は、その外周部に平坦部５１を形成して、この平坦部５１により前記開閉機器Ａの一方Ｂ又は他方Ｃに駆動連係するものであり、
前記軸部材４は、円形シャフト部４１ａを備え、
前記摺動カム部材２０は、その筒部材３が円筒状を呈して前記軸部材４の円形シャフト部４１ａに回動可能で且つ軸方向に摺動可能に摺接するとともに、嵌入された前記筒部材３の前記端部が前記一方のカム部材２から前記他方のカム部材１の側へ延設され、
前記他方のカム部材１は、その外周部に平坦部１２を形成して、この平坦部１２により前記開閉機器Ａの他方Ｃ又は一方Ｂに駆動連係するとともに、前記軸部材４を挿通するための内周面が円周状の孔部１３を備え、
更に、前記他方のカム部材１の前記孔部１３に、前記筒部材３の延設された前記端部３ｂを挿入するための拡径円周状の段部１３ｂを設け、前記筒部材の延設された前記端部３ｂを、前記他方のカム部材１の前記段部１３ｂに摺動可能に挿入したヒンジ装置である。
【００１７】
また、本願第７請求項に記載したヒンジ装置は、請求項１の発明において、
前記筒体５は、その外周部に平坦部５１を形成して、この平坦部５１により前記開閉機器Ａの一方Ｂ又は他方Ｃに駆動連係するものであり、
前記他方のカム部材１は、その外周部に平坦部１２を形成して、この平坦部１２により前記開閉機器Ａの他方Ｃ又は一方Ｂに駆動連係するものであり、
更に、前記他方のカム部材１の背面側には、当該カム部材の外周部と同一形状の外周部を備えた補助部材６を、当該カム部材と同行回動するように装着したヒンジ装置である。
【００１８】
また、本願第８請求項に記載したヒンジ装置は、請求項７の発明において、前記軸部材４は、その基端部に非円形部を備え、この非円形部に前記他方のカム部材１と前記補助部材６を回動不能に装着したヒンジ装置である。
【発明の効果】
【００１９】
本願第１請求項に記載したヒンジ装置は、上述の通り、折り畳み式開閉機器に用いられるヒンジ装置において、筒体内に配置される前記一方のカム部材の孔部には別製の筒部材の一方の端部が嵌入されて、カム部材と筒部材で摺動カム部材が形成され、そして、前記筒部材が前記軸部材を抱持するように当該軸部材に摺接するので、カム部材が傾くことを阻止することが可能となる。これにより、ヒンジ装置の円滑な動作が確保され、ヒンジ動作に不具合をもたらすことのないヒンジ装置を得ることができる。
【００２０】
更に、摺動カム部材は、カム部材と筒部材で形成され、従ってカム部材と筒部材は別々に製造されるので、摺動カム部材を一つの部材で製造（例えばメタルインジェクション等）する場合に比べて、例えばカム部材はプレス形成にて安価に製造することができ、また、肉厚や筒部材の長さを設定する自由度が大きいという利点もある。
【００２１】
また、本発明は、上述のように、凸部が凹部から離れるとカム面上を摺動することとなるが、弾性手段の弾性力を適当なものとすることにより、所謂フリーストップが実現でき、特定回動位置にて凹凸係合により確実に開成或いは閉成を維持することができるのみならず、凹凸係合以外の適宜の回動位置にてフリーストップが可能なヒンジ装置を得ることができる。
【００２２】
また、本願第２請求項に記載したヒンジ装置は、筒部材の前記端部に、その端縁から切り込まれる一つ又は複数の切り込み部が設けられているので、前記一方のカム部材の孔部に筒部材を嵌入する際、この切り込み部の存在により、当該端部の嵌入が容易化される。また、筒部材の嵌入後、一つ又は複数の切り込み部が設けられているので、部材のスプリングバックの発生をより一層発揮させ得ることとなり、これにより嵌入構造を堅固にすることができる。
【００２３】
また、本発明は、本願第３請求項に記載したヒンジ装置のように、前記筒部材に、一端縁から他端縁に至る一つのスリットを設けるものも用いることができる。即ち、本発明は、筒部材で軸部材を抱持してカム部材の傾きを抑えることを主旨とするものであり、例えば、筒部材が別製のものを用い得る利点を生かして、筒部材を、前記一つのスリットを設けたばね鋼にて形成し、これをカム部材に嵌入する態様も採用することができる。
【００２４】
また、本発明は、本願第４請求項に記載したヒンジ装置のように、前記筒部材の他方の端部に、板ばね状の一対の突片を設けて、前記一対の突片で前記軸部材を挟持する構成も採用することができる。このように、一対の突片で前記軸部材を挟持する場合も、筒部材で軸部材を抱持してカム部材の傾きを抑えることができるものである。
【００２５】
この場合、本願第５請求項に記載したヒンジ装置のように、前記一対の突片を長寸の板状片とし、他方、この一対の板状片に対応して、前記軸部材に長手方向の平面部を形成すると、前記一対の突片による前記軸部材の挟持が一層良好になされ得るものとなる。
【００２６】
また、本発明は、本願第６請求項に記載したヒンジ装置のように、前記摺動カム部材は、その筒部材が円筒状を呈して前記軸部材の円形シャフト部に摺接するとともに、嵌入された前記筒部材の前記端部が前記一方のカム部材から前記他方のカム部材の側へ延設され、また、前記他方のカム部材は、内周面が円周状の孔部に、前記筒部材の延設された前記端部を挿入するための拡径円周状の段部を設けて、前記筒部材の延設された前記端部が、前記他方のカム部材の前記段部に摺動可能に挿入されるので、摺動カム部材の筒部材を介して、両カム部材の傾き阻止がより一層確実に行えるものである。
【００２７】
また、本発明は、本願第７請求項に記載したヒンジ装置のように、前記他方のカム部材の背面側に、当該カム部材と同一形状の外周部を備えた補助部材を装着した場合は、この補助部材を、前記開閉機器に駆動連係する当該他方のカム部材の補強部材として用いることができるものである。
【００２８】
この場合、本願第８請求項に記載したヒンジ装置のように、前記軸部材の非円形部に前記他方のカム部材と前記補助部材を回動不能に装着しているので、当該軸部材を介して、前記他方のカム部材と前記補助部材の一体化をより一層図ることができるものである。
【発明を実施するための最良の形態】
【００２９】
本発明のヒンジ装置は、図１ないし図５に示すように、折り畳み式開閉機器Ａに用いられるヒンジ装置Ｈであって、一対の凹凸カム部材１，２を軸部材４に装着し、前記凹凸カム部材の一方のカム部材（本例では凹カム部材２）は、筒体５内に配置されるとともに該筒体に対して回動不能で且つ軸方向に移動可能に設けられ、この一方のカム部材を他方のカム部材（本例では凸カム部材１）の方向に弾性付勢する弾性手段Ｓを装着し、前記凹凸カム部材１，２の一方及び他方が前記開閉機器Ａの一方（例えば、ディスプレー表示部）Ｂ又は他方Ｃ（例えば、操作部）に駆動連係する形式のヒンジ装置である。
【００３０】
本例の凸カム部材１は、更に図６に示すように、一つの凸部１１を備え、外周部には、平坦部１２を形成して、この平坦部１２により前記開閉機器Ａの一方Ｂ又は他方Ｃに駆動連係する。本例では、開閉機器Ａの操作部に形成した装着部（図示を省略）に回動不能に装着されている。また、凸カム部材１の中央部には、軸部材４の軸部４１を挿通するための孔部１３を備える。この孔部１３は、軸部材４の軸部４１に形成した基端平面部４２に係合する平面部１３ａを備える。これらにより、凸カム部材１と軸部材４は、同行回動する。
【００３１】
前記凹カム部材２は、一つ又は複数の凹部２１を備える。尚、本例では、凹カム部材２に二つの凹部２１を備えている。この凹部２１の設置個数並びに設置位置を適宜設定することにより、これらの凹凸カム部材１，２は３６０°の範囲内で所望の係脱箇所を設置することができる。
【００３２】
更に、凹カム部材２は、軸部材４を挿通するための孔部２２を備えるとともに、この孔部２２には、図７に示すように、別製の筒部材３をあてがい、そして、図８に示すように、孔部２２に筒部材３の一方の端部を嵌入して、凹カム部材２と筒部材３で摺動カム部材２０を形成する。
【００３３】
また、筒部材３の前記端部に、その端縁３ａから切り込まれる一つ又は複数の切り込み部３１が設けられている。本例では、複数の切り込み部３１を設けている。このように、切り込み部３１を設けた場合は、凹カム部材２の孔部２２に筒部材３を嵌入する際、この切り込み部の存在により、当該端部の嵌入が容易化される。また、筒部材３の嵌入後、切り込み部３１が設けられているので、部材のスプリングバックの発生をより一層発揮させ得ることとなり、これにより嵌入構造を堅固にすることができる。
【００３４】
凹カム部材２に筒部材３を嵌入して一体的に形成された摺動カム部材２０は、前述したように筒体５内に配置されるとともに、筒部材３が軸部材４の軸部４１を抱持するように当該軸部材に摺接し、軸部材４の円形シャフト部４１ａに回動可能で且つ軸部４１の軸方向に摺動可能に設けられる。
【００３５】
尚、凹カム部材２の外周部には、平坦部２３を設けている。この平坦部２３は、筒体５の平坦部５１の内側形状に対応するように形成されている。従って、凹カム部材２を備えた摺動カム部材２０は、前述したように、筒体５に対して回動不能で且つ軸方向に移動可能に設けられる。また、筒体５は、この平坦部５１により前記開閉機器Ａの一方Ｂ又は他方Ｃに駆動連係する。本例では、開閉機器Ａのディスプレー表示部に形成した装着部（図示を省略）に回動不能に装着されている。
【００３６】
本例の場合、凹凸カム部材１，２の押接箇所が軸心位置から離れた片側となるが、摺動カム部材２０の筒部材３が軸部材４を抱持するので、カム部材が傾くことを阻止することが可能となる。これにより、ヒンジ装置の円滑な動作が確保され、ヒンジ動作に不具合をもたらすことがない。
【００３７】
また、摺動カム部材２０の凹カム部材２と筒部材３は別々に製造されるので、摺動カム部材を一つの部材で製造する場合に比べて、例えばカム部材はプレス形成にて安価に製造することができ、また、肉厚や筒部材の長さを設定する自由度が大きいという利点を有する。
【００３８】
また、本例では、凹カム部材２は、弾性手段Ｓ、この例ではコイルスプリングにより、凸カム部材１の方向へ弾性付勢され、凹凸カム部材１，２の相対回動により、前述のように軸部材４に摺接し、軸方向に摺動するが、この摺動のストロークは、凸カム部材１の前記凸部１１の高さｔと等しくなる。そこで、筒部材３と、前記筒体５の底部との間隔Ｔを、前記凸部１１の高さｔよりも大きく設けられている。
【００３９】
これにより、凹凸カム部材１，２の相対回動により、凸部１１と凹部２１の係合が外れて凸部１１が凹カム部材２のカム面上を摺動し、弾性手段Ｓの弾性力に抗して筒部材３が筒体５の底部の方向へ移行しても、筒部材３が筒体５の底部に当接することがない。従って、このような当接により生じ得るヒンジ動作の阻害要因を、阻止することができる。また、筒部材は、筒体の底部に当接する手前まで長くすることが可能であるため、筒部材が前記軸部材を抱持する後述の構造を、安定的に得ることができる。尚、逆に、筒部材３が筒体５の底部に当接するような場合であっても、筒部材３の当接する箇所又はそれらの近傍の部材を弾性部材にて形成したり、或いは、筒体５の底部に貫通孔部を形成することにより、前述した当接により生じ得るヒンジ動作の阻害要因を、阻止することができる。
【００４０】
また、上述のように、凸部１１が凹部２１から離れるとカム面上を摺動することとなるが、弾性手段Ｓの弾性力を適当なものとすることにより、所謂フリーストップが実現でき、凹凸係合以外の適宜の回動位置にてフリーストップが可能となる。
【００４１】
また、本例では、凸カム部材１の背面側に、凸カム部材１の内外周部と同一形状の内外周部を備えた補助部材６を、この凸カム部材１と同行回動するように装着している。
【００４２】
即ち、補助部材６の外周部には、凸カム部材１の平坦部１２と同様の平坦部６１を形成している。この平坦部６１は、凸カム部材１と同様に、開閉機器Ａの操作部に形成した装着部（図示を省略）に回動不能に装着されている。
【００４３】
更に、補助部材６の中央部には、軸部材４の軸部４１を挿通するための孔部６２を備える。この孔部６２は、軸部材４の基端部の軸部４１に形成した基端平面部４２に係合する、非円形部たる平面部６２ａを備える。これらにより、凸カム部材１と同様に、補助部材６は軸部材４と同行回動する。
【００４４】
このように、凸カム部材１の背面側に、当該カム部材と同一形状の外周部を備えた補助部材６を装着した場合は、この補助部材６を、前記開閉機器に駆動連係する凸カム部材１の補強部材として用いることができるものである。この場合、軸部材４の非円形部たる基端平面部４２に凸カム部材１と補助部材６を回動不能に装着しているので、当該軸部材を介して、凸カム部材１と補助部材６の一体化をより一層図ることができる。
【００４５】
尚、図中、７は、弾性手段Ｓたるコイルスプリングの一方の端部にあてがわれるワッシャ、８は軸受部材であり、そのうち８ａは筒体５の内部に装着される内側軸受部材、８ｂは筒体５の外部に装着される外側軸受部材である。また、９はリング状の座金で、軸部材４の先端部がこの座金９に挿通され、加締められて座金９に固着される。
【００４６】
尚、図３ないし図５に示すように、軸部材４は、その軸部４１に、図中、左から右に向けて、順次、補助部材６、凸カム部材１、凹カム部材２と筒部材３からなる摺動カム部材２０、弾性手段Ｓたるコイルスプリング、及び、ワッシャ７を挿通し、更に、軸受８を装着した５と座金９を挿通し、前述したように、先端部を加締めて座金９に固着される。
【００４７】
このようにして組み立てられたヒンジ装置Ｈは、弾性手段Ｓにより凹カム部材２が弾性付勢されて凸カム部材１に圧接し、凹凸カム部材１、２に摩擦力が発生して、これに用いられる折り畳み式開閉機器にフリーストップ機能が付与されることになる。
【００４８】
更に、弾性手段Ｓによる圧縮状態の中で、凹凸カム部材１、２係脱するので、特定回動位置にて確実に開成或いは閉成を維持することが可能なヒンジ装置を得ることができる。更に、凹カム部材２は筒部材３とともに摺動カム部材２０を構成し、その筒部材３が軸部材４を抱持するように当該軸部材に摺接するので、カム部材が傾くことを阻止することが可能となる。これにより、ヒンジ装置の円滑な動作が確保され、ヒンジ動作に不具合をもたらすことのないヒンジ装置を得ることができる。
【００４９】
図９及び図１０に示すものは、本発明の他の具体例を示すもので、この例では、筒部材３に、一端縁から他端縁に至る一つのスリット３２が設けられている。尚、前例と共通の構成要素には同一の符号を付して、その詳細な説明を省略する。
【００５０】
即ち、この例では、筒部材３で軸部材を抱持してカム部材の傾きを抑えることを主旨とする本発明に鑑み、例えば、筒部材が別製のものを用い得る利点を生かして、筒部材３を、前記一つのスリット３２を設けたばね鋼にて形成し、これを凹カム部材２に嵌入する態様とすることができる。
【００５１】
図１１及び図１２に示すものは、本発明の他の具体例を示すもので、この例では、筒部材３の他方の端部に、板ばね状の一対の突片３３，３３が設けられており、前記一対の突片３３，３３で軸部材４を挟持するものである。更に、この具体例では、前記一対の突片３３，３３に長寸の板状片を用い、この一対の板状片に対応して、前記軸部材４に長手方向の平面部４３を形成したものである。尚、前例と共通の構成要素には同一の符号を付して、その詳細な説明を省略する。
【００５２】
この例のように、筒部材３の他方の端部に、板ばね状の一対の突片３３，３３を設けて、前記一対の突片３３，３３で軸部材４を挟持する構成も採用することができる。このように、一対の突片で軸部材を挟持する場合も、筒部材で軸部材を抱持してカム部材の傾きを抑えることができるものである。
【００５３】
この場合、前記一対の突片３３，３３を長寸の板状片とし、他方、この一対の板状片に対応して、軸部材に長手方向の平面部４３を形成すると、前記一対の突片による前記軸部材の挟持が一層良好になされ得るものとなる。
【００５４】
図１３に示すものは、本発明の他の具体例を示すもので、この例では、前記摺動カム部材２０は、その筒部材３が円筒状を呈して前記軸部材４の円形シャフト部４１ａに回動可能で且つ軸方向に摺動可能に摺接するとともに、嵌入された筒部材３の前記端部が、凹カム部材２から凸カム部材１の側へ延設されて、延設端部３ｂを構成する。更に、凸カム部材１の前記孔部１３に、筒部材３の前記延設端部３ｂを挿入するための拡径円周状の段部１３ｂを設け、前記筒部材の前記延設端部３ｂを、凸カム部材１の前記段部１３ｂに摺動可能に挿入したものである。尚、前例と共通の構成要素には同一の符号を付して、その詳細な説明を省略する。
【００５５】
この例のように、嵌入された筒部材３の前記端部が凹カム部材２から凸カム部材１の側へ延設されて延設端部３ｂを構成し、他方、凸カム部材１の前記孔部１３に、筒部材３の前記延設端部３ｂを挿入するための拡径円周状の段部１３ｂを設け、前記筒部材の前記延設端部３ｂを、凸カム部材１の前記段部１３ｂに摺動可能に挿入した場合は、摺動カム部材２０の筒部材３を介して、両カム部材の傾き阻止がより一層確実に行えるものである。
【００５６】
以上説明した本例のヒンジ装置は、所謂一つ山カムを用いる場合を例に採って説明したが、上述の具体例に限られることなく、例えば、所謂異径カムのように径方向における凸部の位置が異なる場合や、複数の凸部が異なる角度に存在する場合のように、凹凸カム部材の配置等によってカム部材が傾く態様のものに適用できるものであり、更に、カム部材の傾きを抑えるという本発明の趣旨を逸脱しない範囲において、適宜の改変を加えることができるものである。
【産業上の利用可能性】
【００５７】
本発明のヒンジ装置は、パソコン等を対象とするものであるが、この他にも、化粧用コンパクト、ドア、便器の蓋等、開閉又は回動するもの等、如何なるものにも適用することが可能である。
【図面の簡単な説明】
【００５８】
【図１】本発明の一具体例に係るヒンジ装置を用いた折り畳み式開閉機器の斜視図である。
【図２】本発明の一具体例に係るヒンジ装置の外観斜視図である。
【図３】本発明の一具体例に係るヒンジ装置の縦断面図である。
【図４】本発明の一具体例に係るヒンジ装置の斜視図である。
【図５】本発明の一具体例に係るヒンジ装置の斜視図である。
【図６】本例の凸カム部材を示す斜視図である。
【図７】本例の凹カム部材と筒部材を示す斜視図である。
【図８】本例の凹カム部材と筒部材を結合して構成した摺動カム部材を示す斜視図である。
【図９】本発明の他の具体例に係るヒンジユニットの斜視図である。
【図１０】本発明の他の具体例に係る筒部材を示す斜視図である。
【図１１】本発明の他の具体例に係るヒンジユニットの斜視図である。
【図１２】本発明の他の具体例に係る筒部材を示す斜視図である。
【図１３】本発明の他の具体例に係るヒンジ装置の縦断面図である。
【符号の説明】
【００５９】
Ａ      折り畳み式開閉機器
Ｂ      機器の一方（ディスプレー表示部）
Ｃ      機器の他方（操作部）
Ｈ      ヒンジ装置
Ｓ      弾性手段
Ｔ      間隔
ｔ      高さ
１      凸カム部材
１１      凸部
１２      平坦部
１３      孔部
１３ａ      平面部
１３ｂ      段部
２      凹カム部材
２０      摺動カム部材
２１      凹部
２２      孔部
２３      平坦部
３      筒部材
３ａ      端部
３ｂ      延設端部
３１      切り込み部
３２      スリット
３３      突片
４      軸部材
４１      軸部
４１ａ      円形シャフト部
４２      基端平面部
４３      平面部
５      筒体
５１      平坦部
６      補助部材
６１      平坦部
６２      孔部
６２ａ      平面部
７      ワッシャ
８      軸受部材
８ａ      内側軸受部材
８ｂ      外側軸受部材
９      座金
【図１】
2010151182.tif 000003
【図２】
2010151182.tif 000004
【図３】
2010151182.tif 000005
【図４】
2010151182.tif 000006
【図５】
2010151182.tif 000007
【図６】
2010151182.tif 000008
【図７】
2010151182.tif 000009
【図８】
2010151182.tif 000010
【図９】
2010151182.tif 000011
【図１０】
2010151182.tif 000012
【図１１】
2010151182.tif 000013
【図１２】
2010151182.tif 000014
【図１３】
2010151182.tif 000015